(57)【要約】【課題】電動歯ブラシを使用中に手がグリップ部からブラシ方向に滑ろうとするのを防止した電動歯ブラシのグリップ構造の提供を目的とする。【解決手段】グリップ部とブラシの柄の部分とで径の大きさが異なる電動歯ブラシにおいて、グリップ部のブラシよりの外周縁部付近に鍔部を形成した。  この鍔部は、ハウジングの側面外周に渡って、握った指の横が当たる高さに形成すると良いが、特にブラシの毛先方向側は使用者の握り手の指の高さを越える位置までハウジングよりヘラ状に突出したヘラ状部を設けると良い。【選択図】  図１
2005110845.tif 000002
【特許請求の範囲】
【請求項１】
グリップ部とブラシの柄の部分とで径の大きさが異なる電動歯ブラシにおいて、グリップ部のブラシよりの外周縁部付近に鍔部を形成したことを特徴とする電動歯ブラシの滑り止め構造。
【請求項２】
電動歯ブラシのハウジングにおいて、グリップ部のブラシよりの外周縁部付近に鍔部を形成したことを特徴とする請求項１記載の電動歯ブラシに使用する電動歯ブラシのハウジング構造。
【請求項３】
中央部に挿入孔を設けて成る略筒状または略リング状のベース部の外周上に鍔部を形成し、該挿入孔を既存の電動歯ブラシのブラシ側からグリップ部に向けて挿入嵌合し、装着できるようにしたことを特徴とする電動歯ブラシ用滑り止め具。
【発明の詳細な説明】
【技術分野】
【０００１】
本発明は、電動歯ブラシを使用中に手がグリップからブラシ側に滑るのを防止した電動歯ブラシの滑り止め構造に係る。
【背景技術】
【０００２】
電気によりモータを駆動してブラシを回転・振動させる電動タイプの動力駆動歯ブラシでは、そのグリップ部は電池やモータ等を収納するハウジングを兼ねている場合が殆どである。
従って、グリップの太さは口の中に入れるブラシを取り付けた細い柄部分より一段径を大きく形成せざるを得ない。
このグリップ部とブラシの柄部分の径の差により生じる段差部は、一般的に略円錐状の傾斜面になっている。
一方、電動歯ブラシは、濡れた手や石鹸などが付着した手で使用する場合もあり、電動歯ブラシ先端を口の中に出し入れして使用しているうちに、ブラシを歯に当てようとするときにグリップが前の方に滑りやすく、特にグリップがブラシ側に向けて細くなっていると滑りやすい。
特開２００２−２７２５３６号公報には、歯ブラシの柄の途中に輪っかをつけて、口から柄をつたわってくる水をせきとめた上、輪っかに取り付けた紐につたわせることで、手と袖に水が伝わるのを防止する技術が開示されている。
通常の歯ブラシでは、手で握るグリップ部とブラシ部分の径の大きさに殆ど差が無く、この公報の目的は水の伝わりを断つ点にあり、グリップ部の滑りを防止したものではない。
【０００３】
【特許文献１】特開２００２−２７２５３６号公報
【発明の開示】
【発明が解決しようとする課題】
【０００４】
本発明は上記技術的課題に鑑みて、電動歯ブラシを使用中に手がグリップ部からブラシ方向に滑ろうとするのを防止した電動歯ブラシのグリップ構造の提供を目的とする。
【課題を解決するための手段】
【０００５】
請求項１記載の発明の技術的要旨は、グリップ部とブラシの柄の部分とで径の大きさが異なる電動歯ブラシにおいて、グリップ部のブラシよりの外周縁部付近に鍔部を形成した点である。
【０００６】
このように、ブラシを装着しているブラシ部と、モータやバッテリー等を収納しているハウジング部との継ぎ部分に沿って鍔部を形成したので、電動歯ブラシ握り位置がブラシ側に滑ろうとしても鍔部に手が当たり、位置ずれが規制される。
この鍔部は、ハウジングの側面外周に渡って、握った指の横が当たる高さに形成すると良いが、特にブラシの毛先方向側は使用者の握り手の指の高さを越える位置までハウジングよりヘラ状に突出したヘラ状部を設けると良い。
【０００７】
請求項２記載の発明の技術的要旨は、電動歯ブラシのハウジングにおいて、グリップ部のブラシよりの外周縁部付近に鍔部を形成した点である。
【０００８】
請求項３記載の発明の技術的要旨は、電動歯ブラシの外付け滑り止め具として、中央部に挿入孔を設けて成る略筒状または略リング状のベース部の外周上に鍔部を形成し、該挿入孔を既存の電動歯ブラシのブラシ側からグリップ部に向けて挿入嵌合し、装着できるようにした点である。
【０００９】
既存の電動歯ブラシに対しては、そのハウジング部のブラシよりに外付けの滑り止め具の略筒状または略リング状のベース部を装着することで、そのベース部の外周上に形成した鍔部によって握り位置の位置ずれは規制される。
滑り止め具ベース部の装着構造は、ゴムなどの弾性体より形成してその弾性力により既存の電動歯ブラシのハウジング部に嵌め込んで装着する構造や、既存の電動歯ブラシのグリップ部と前記段差間にあらかじめ形成されている溝等の係止部に嵌め込む構造が考えられる。
【発明の効果】
【００１０】
本発明に係る電動歯ブラシにおける滑り止め構造においては、ブラシの柄の部分とグリップ径に差があってもグリップ部のブラシよりの外周縁部付近に鍔部を形成したため、電動歯ブラシを使用する際に握り位置がブラシ側に滑ることはなく安定した使用状態を維持できる。
【００１１】
また、既存の電動歯ブラシに対しては、外付けの滑り止め具を、電動歯ブラシのグリップ部に装着することで手がブラシ側に滑るのを防止できる。
【発明を実施するための最良の形態】
【００１２】
図１に本発明に係る滑り止め構造を電動歯ブラシに適用した実施例を示す。
図１（イ）は正面図を示し、図１（ロ）は側面図を示す。
電動歯ブラシ１０は、内部に電池やモータなどを収納している略円筒状のハウジング部１１に、握る部位であるグリップ部１２が設けられている。
ハウジング部１１の一端には柄１５ｂの先にブラシ１５ａを設けたブラシ部１５が設けられ、ハウジング部１１内の駆動源であるモータにより、柄１５ｂを介して駆動力が伝達されブラシ１５ａが駆動される構成になっている。
ハウジング部１１とブラシ部１５との間には、ハウジング部１１の略円筒状の断面のサイズと柄１５ｂの断面サイズによって形成される段差１８を吸収する略円錐状の斜面１７が形成されている。
これはハウジング部には電池等の電源やモータ等の駆動部を収納しなければならないからである。
グリップ部１２と段差１８部分の斜面１７との間のグリップ部１２のブラシ側の縁部１２ａ付近には、握った手のずれを防止するように庇状にハウジング部１１から突出した鍔部１３が形成されている。
これにより、例え使用者の手が濡れていたり、石鹸液が付着していたりするなど滑りやすい状態でも電動歯ブラシ１０を使用し、ブラシ部１５を口の中に出し入れして歯を磨いても、握り位置がブラシ部１５側へ滑ることはない。
なお、図１に示した例はグリップ部の形状がブラシ側に向けてやや細くなっているが必ずしも細くなくてもよい。
ブラシを歯に押し当てるようにするときに、グリップが滑るを防止するのがねらいであり、グリップの形状には限定されず、逆に後部がやや細くてもよい。
また口から歯磨き粉を含んだ水がブラシ部１５の柄１５ｂを伝わっても、鍔部１３の特にブラシの毛先方向へ向かいヘラ状に突出した部分によってせき止められるため、口から垂れてきた水によるグリップ部１２のグリップ力の低下は防止される。
【００１３】
図２（イ）に既存の電動歯ブラシに外付けで装着する、本発明に係る電動歯ブラシの滑り止め具の実施例を示す。
滑り止め具２０はゴムなどの弾性を有した軟質性樹脂によって形成され、略筒状のベース部２１の外周上に一体で鍔部２２が設けられている。
ベース部２１には挿入孔２１ａが形成され、滑り止め具２０の既存の電動歯ブラシ１への装着状態を図２（ロ）に示すように、この挿入孔２１ａに電動歯ブラシ１のハウジング部２を嵌め込み装着する。
そして既存の電動歯ブラシ１のグリップ部３と、段差４部分の斜面５との間に滑り止め具２０が装着される。
滑り止め具２０は軟質性樹脂とハウジング部２間の摩擦力によりハウジング部２に勘合している。
滑り止め具２０には鍔部２２が設けられているため、滑り止め具２０の電動歯ブラシ１への装着によってグリップ部３のブラシ側外周縁部３ａ付近には、握り位置のずれを規制する鍔部２２からなる規制部材が設けられている。
これにより、使用者が滑りやすい手で電動歯ブラシ１を使用しても握り位置を保持して歯を磨くことができる。
【図面の簡単な説明】
【００１４】
【図１】（イ）本発明に係る滑り止め構造を適用した電動歯ブラシの実施例の正面図を示す。（ロ）本発明に係る滑り止め構造を適用した電動歯ブラシの実施例の側面図を示す。
【図２】（イ）本発明に係る滑り止め具の斜視図を示す。（ロ）本発明に係る滑り止め具を既存の電動歯ブラシに装着した状態の正面図を示す。
【符号の説明】
【００１５】
１      既存の電動歯ブラシ
２      既存の電動歯ブラシのハウジング部
３      既存の電動歯ブラシのグリップ部
３ａ    既存の電動歯ブラシのグリップ部のブラシ側外周縁部
４      既存の電動歯ブラシの段差
５      既存の電動歯ブラシの斜面
６      既存の電動歯ブラシのブラシ部
１０    鍔付き電動歯ブラシ  
１１    ハウジング部
１２    グリップ部
１２ａ  グリップ部ブラシ側外周縁部
１３    鍔部
１５    ブラシ部
１５ａ  ブラシ
１５ｂ  ブラシ柄
１７    斜面
１８    段差
２０    外付け滑り止め具
２１    外付け滑り止め具ベース部
２１ａ  外付け滑り止め具ベース部挿入孔
２２    外付け滑り止め具鍔部
【図１】
2005110845.tif 000003
【図２】
2005110845.tif 000004